(57)【要約】      （修正有）【課題】着脱が短時間で可能であり、安全性の高い柱の目違い修正治具を提供する。【解決手段】溶接用切欠部を形成した第１エレクションピースが上端に固定された既設柱と、第２エレクションピースが固定された建入柱とを接続する際に接続部の目違いを修正する柱の目違い修正治具７において、前記目違い修正治具７は、既設柱表面に当接する脚部１２を有する治具本体８と、治具本体８に取り付けられる目違い修正用ジャッキ１５と、治具本体８を既設柱に固定するための固定具１８とを備え、前記固定具１８は、治具本体８に形成された貫通雌ねじ穴１６に長さ調節自在に螺着される雄ねじ部材１９と、雄ねじ部材の先端にピン結合され回動自在とされる棒状の固定部材２１により構成され、前記固定部材２１を前記溶接用切欠部に挿入し、雄ねじ部材１９の長さを調節することにより目違い修正治具７を既設柱に緊張固定する。【選択図】図２
2006152540.tif 000002
【特許請求の範囲】
【請求項１】
溶接用切欠部を形成した第１エレクションピースが上端に固定された既設柱と、第２エレクションピースが固定された建入柱とを接続する際に接続部の目違いを修正する柱の目違い修正治具において、前記目違い修正治具は、既設柱表面に当接する脚部を有する治具本体と、治具本体に取り付けられる目違い修正用ジャッキと、治具本体を既設柱に固定するための固定具とを備え、前記固定具は、治具本体に形成された貫通雌ねじ穴に長さ調節自在に螺着される雄ねじ部材と、雄ねじ部材の先端にピン結合され回動自在とされる棒状の固定部材により構成され、前記固定部材を前記溶接用切欠部に挿入し回動して第１エレクションピースの反対側に引っ掛け、雄ねじ部材の長さを調節することにより目違い修正治具を第１エレクションピースに緊張固定することを特徴とする柱の目違い修正治具。
【請求項２】
前記固定具の雄ねじ部材の先端に棒状の固定部材がチェーン状のリンク部材を介して連結されることを特徴とする請求項１に記載の柱の目違い修正治具。
【請求項３】
前記治具本体がＬ字形フレームで構成され、前記Ｌ字形フレームのコーナー部に補強部材が設けられることを特徴とする請求項１又は２に記載の柱の目違い修正治具。
【請求項４】
前記治具本体のＬ字形フレームの脚部に水平底板を取り付けることを特徴とする請求項３に記載の柱の目違い修正治具。
【請求項５】
前記目違い修正ジャッキを治具本体に着脱可能に取り付けることを特徴とする請求項１〜４のいずれかに記載の柱の目違い修正治具。
【請求項６】
前記治具本体に形成される貫通雌ねじ穴が、治具本体が伸びる方向に対して直交する方向又は傾斜する方向に形成されることを特徴とする請求項１〜５のいずれかに記載の柱の目違い修正治具。
【請求項７】
前記治具本体に形成される貫通雌ねじ穴を補強するための雌ねじを形成した補強部材を固定することを特徴とする請求項５又は６に記載の柱の目違い修正治具。
【請求項８】
前記治具本体が無緊張状態の際、前記溶接用切欠き部に挿入され治具本体を所定位置に保持するための保持部材を治具本体に設けることを特徴とする請求項１〜７のいずれかに記載の柱の目違い修正治具。
【発明の詳細な説明】
【技術分野】
【０００１】
本発明は、既設柱と建入柱との接続部に生じた目違いを修正する柱の目違い修正治具に関する。
【背景技術】
【０００２】
従来の柱の目違い修正治具として、特開２００２−２５０１３３号公報には、既設柱、建入柱の端部にそれぞれエレクションピースを固定し、エレクションピースに穴を形成し、この穴にボルトを挿通して締め付けることにより目違い修正治具を固定するものが開示されている。また、特開２００２−１９４８９７号公報には、既設柱、建入柱の端部にそれぞれエレクションピースを固定し、いずれか一方のエレクションピースの端部に目違い修正治具に形成した引掛け部を引掛け、引掛け部の反対側からボルトで締め付け固定する目違い修正治具が開示されている。
【特許文献１】特開２００２−２５０１３３号公報
【特許文献２】特開２００２―１９４８９７号公報
【発明の開示】
【発明が解決しようとする課題】
【０００３】
柱の目違い修正治具は、作業環境として高所や狭い作業空間での作業が多いため、その着脱が短時間に容易に可能であること、目違い修正作業中、修正治具の固定が安全に保たれることが重要である。しかし、特開２００２−２５０１３３号公報に開示された目違い修正治具は、エレクションピースの穴にボルトを挿通して締め付ける作業が必要であり、着脱に時間が掛かるという問題を有する。また、特開２００２−１９４８９７号公報に開示された目違い修正治具は、エレクションピースの端部への引掛けだけであるので、目違い修正作業中の衝撃或いは振動により引掛け部の係合がはずれる恐れがあり、安全上の問題が発生する。
【０００４】
本発明は、前記課題を解決した着脱が短時間で容易に可能であり、安全性の高い柱の目違い修正治具を提供することを目的とする。
【課題を解決するための手段】
【０００５】
本第１発明は、前記課題を解決するために、溶接用切欠部を形成した第１エレクションピースが上端に固定された既設柱と、第２エレクションピースが固定された建入柱とを接続する際に接続部の目違いを修正する柱の目違い修正治具において、前記目違い修正治具は、既設柱表面に当接する脚部を有する治具本体と、治具本体に取り付けられる目違い修正用ジャッキと、治具本体を既設柱に固定するための固定具とを備え、前記固定具は、治具本体に形成された貫通雌ねじ穴に長さ調節自在に螺着される雄ねじ部材と、雄ねじ部材の先端にピン結合され回動自在とされる棒状の固定部材により構成され、前記固定部材を前記溶接用切欠部に挿入し回動して第１エレクションピースの反対側に引っ掛け、雄ねじ部材の長さを調節することにより目違い修正治具を第１エレクションピースに緊張固定することを特徴とする。
【０００６】
本第２発明は、本第１発明の柱の目違い修正治具において、前記固定具の雄ねじ部材の先端に棒状の固定部材がチェーン状部材を介して連結されることを特徴とする。
【０００７】
本第３発明は、本第１又は第２発明の柱の目違い修正治具において、前記治具本体がＬ字形フレームで構成され、前記Ｌ字形フレームのコーナー部に補強部材が設けられることを特徴とする。
【０００８】
本第４発明は、本第３発明の柱の目違い修正治具において、前記治具本体のＬ字形フレームの脚部に水平底板を取り付けることを特徴とする。
【０００９】
本第５発明は、本第１〜第４発明のいずれかの柱の目違い修正治具において、前記目違い修正用ジャッキを治具本体に着脱可能に取り付けることを特徴とする。
【００１０】
本第６発明は、本第１〜第５発明のいずれかの柱の目違い修正治具において、前記治具本体に形成される貫通雌ねじ穴が、治具本体が伸びる方向に対して直交する方向又は傾斜する方向に形成されることを特徴とする。
【００１１】
本第７発明は、本第６発明の柱の目違い修正治具において、前記治具本体に形成される貫通雌ねじ穴に雌ねじを形成した補強部材を固定することを特徴とする。
【００１２】
本第８発明は、本第１〜第７発明のいずれかの柱の目違い修正治具において、前記治具本体が無緊張状態の際、前記溶接用切欠き部に挿入され治具本体を所定位置に保持するための保持部材を治具本体に設けることを特徴とする。
【発明の効果】
【００１３】
溶接用切欠部を形成した溶接用切欠部を形成した第１エレクションピースが上端に固定された既設柱と、第２エレクションピースが固定された建入柱とを接続する際に接続部の目違いを修正する柱の目違い修正治具において、前記目違い修正治具は、既設柱表面に当接する脚部を有する治具本体と、治具本体に取り付けられる目違い修正用ジャッキと、治具本体を既設柱に固定するための固定具とを備え、前記固定具は、治具本体に形成された貫通雌ねじ穴に長さ調節自在に螺着される雄ねじ部材と、雄ねじ部材の先端にピン結合され回動自在とされる棒状の固定部材により構成され、前記固定部材を前記溶接用切欠部に挿入し回動して第１エレクションピースの反対側に引っ掛け、雄ねじ部材の長さを調節することにより目違い修正治具を第１エレクションピースに緊張固定する構成により、目違い修正治具の柱への取り付け、取り外しが狭い場所でも容易に短時間の作業で可能になると共に、固定具の固定部材を溶接用切欠部に挿入して締め付け固定するので、目違い修正作業中に治具が外れることがなく安全性の高い目違い修正治具とすることができる。
固定具の雄ねじ部材の先端に棒状の固定部材がチェーン状部材を介して連結される構成により、溶接用切欠部に挿入される固定部材と治具本体との位置関係に多少のズレがあっても、治具本体を柱に固定できる。
治具本体がＬ字形フレームで構成され、前記Ｌ字形フレームのコーナー部に補強部材が設けられる構成により、治具本体の剛性が増加し、強度の大きい目違い修正治具とすることができる。
治具本体のＬ字形フレームの下端に水平底板を取り付ける構成により、第１エレクションピース表面との当接面積が増加し、より安定に治具本体を固定できる。
目違い修正用ジャッキを治具本体に着脱可能に取り付ける構成により、目違い修正治具の設置のスペースが限られているような場合でも効果的に目違い修正が可能となる。
治具本体に形成される貫通雌ねじ穴が、治具本体が伸びる方向に対して直交する方向又は傾斜する方向に形成される構成により、目違い修正作業をする場所の変化に対応可能となる。
治具本体に形成される貫通雌ねじ穴に雌ねじを形成した補強部材を固定する構成により、治具本体を構成する部材の板厚及び板幅が充分でない場合でも、固定具を安定して保持できる。
治具本体が無緊張状態の際、前記溶接用切欠き部に挿入され治具本体を所定位置に保持するための保持部材を治具本体に設ける構成により、治具本体が無緊張状態の時、治具本体が所定の位置からずり落ちるのを防止することができる。
【発明を実施するための最良の形態】
【００１４】
本発明の実施形態を図により説明する。図１は、既設柱１と建入柱２の接続位置関係を示す図である。既設柱１の上端に第１エレクションピース３が溶接等の手段により固定され、既設柱１の上端に接続される建入柱２の下端に第２エレクションピース４が溶接等の手段により固定される。第１エレクションピース３の上端は、既設柱１の上端部より突出する突出部を有し、第１エレクションピース３の突出部は、建入柱２を既設柱１に接続する際のガイドとして機能する。第１エレクションピース３の既設柱１と建入柱２との接続部に対応する位置に半円形状の溶接用切欠部５が形成される。溶接用切欠部５の形状は、半円形状に限定されるものではなく、溶接可能であればどのような形状でもよい。第１，第２エレクションピース３，４には、複数のボルト穴６が形成され、既設柱１と建入柱２との目違い修正後、第１，第２エレクションピース３，４は、複数のボルト穴６’を形成したスプライスプレート２２を介してボルト接合される。既設柱１と建入柱２との溶接接合後には、スプライスプレート２２、第１，第２エレクションピース３，４は、取り外される。
【００１５】
図２は、本発明の柱の目違い修正治具７の一実施形態を示すものである。目違い修正治具７は、Ｌ字形フレーム９により構成される治具本体８を備える。治具本体８は、所定厚みと幅を有し、強度の大きい金属で形成される。治具本体８を構成するＬ字形フレーム９は、水平部１０と垂直部１１を備え、垂直部１１の下端に脚部１２が形成される。Ｌ字形フレーム９の水平部１０と垂直部１１とのコーナー部には、Ｌ字形フレーム９の剛性を補償するための補強材１３が溶接等の手段により固定される。脚部１２には、第１エレクションピース３との接地面積を増加し、治具本体８の安定した固定を確保するために、水平底板１４を取り付けても良い。また、補強材１３の下端に保持部材２３を着脱自在に取り付ける。この保持部材２３は、目違い修正治具７が第１エレクションピース３に緊張固定する際、治具本体８を所定位置に保持する機能を有する。保持部材２３を着脱自在とするのは、治具本体の緊張固定位置が変動する場合、異なる厚みを有する保持部材を使用可能とするためである。
【００１６】
目違い修正治具７のＬ字形フレーム９の水平部１０の端部近傍に、目違い修正用ジャッキ１５が取り付けられる。目違い修正用ジャッキ１５としては、図２に示されるようにスクリュー式ジャッキであっても、油圧式ジャッキであっても良い。目違い修正用ジャッキ１５は、Ｌ字形フレーム９に対してボルト等の固定部材を介して着脱自在に取り付ける。
【００１７】
Ｌ字形フレーム９の水平部１０のほぼ中間部に貫通雌ねじ穴１６が形成される。Ｌ字形フレーム９の水平部１０の貫通雌ねじ穴１６に対応する部分に、雌ねじを形成した補強材１７を溶接等の手段により固定する。補強部材１７は、Ｌ字形フレーム９の板厚、板幅が充分でない場合でも、固定具１８の保持に充分な強度を持たせる。図２に示されるように、Ｌ字形フレーム９に形成される貫通雌ねじ穴１６は、Ｌ字形フレーム９の水平部１０に対して、直交する方向に形成しても、図３の別の実施形態に示されるように、Ｌ字形フレーム９の水平部１０に対して、傾斜する方向に形成してもよい。
【００１８】
前記Ｌ字形フレーム９の水平部１０に形成された貫通雌ねじ穴１６に、目違い修正治具７の固定具１８を構成する雄ねじ部材１９が螺着される。雄ねじ部材１９の先端に、チェーン状のリンク部材２０を介して棒状の固定部材２１が回動自在に枢着される。固定具１８を構成する棒状の固定部材２１は、前記第１エレクションピース３に形成した溶接用切欠部５に挿入される。棒状の固定部材２１の長さは、溶接用切欠部５の径より長くする。前記のように、固定具１８の雄ねじ部材１９を螺着する貫通雌ねじ穴１６が、Ｌ字形フレーム９の水平部１０に対して、直交する方向又は傾斜する方向に形成するのは、目違い修正作業をする環境の変化に対応するためである。
【００１９】
図４は、本発明の目違い修正治具７の設置状態を示す一実施形態を示す図である。既設柱１の第１エレクションピース３の右側面に、目違い修正治具７のＬ字形フレーム９の垂直部１１の脚部１２を当接し、保持部材２３を溶接用切欠部５に挿入して溶接用切欠部５の下縁に係合させて治具本体を所定の位置に保持する。固定具１８の棒状の固定部材２１を、第１エレクションピース３の溶接用切欠部５に挿入し、回動して固定部材２１の両端を溶接用切欠部５の端部に係合させ、固定具１８の雄ねじ部材１９の長さを調整し、目違い修正治具７を緊張固定する。図４に示される実施形態では、目違い修正用ジャッキ１５が、第２エレクションピース４の右側面に当接し左方向に押して接続部の目違いを修正する。
【００２０】
図５は、本発明の目違い修正治具７の設置状態を示す他の実施形態を示す図である。既設柱１の第１エレクションピース３の左側面に、目違い修正治具７のＬ字形フレーム９の垂直部１１の脚部１２を当接し、保持部材２３を溶接用切欠部５に挿入して溶接用切欠部５の下縁に係合させて治具本体を所定の位置に保持する。固定具１８の棒状の固定部材２１を、第１エレクションピース３の溶接用切欠部５に挿入し、回動して固定部材２１の両端を溶接用切欠部５の端部に係合させ、固定具１８の雄ねじ部材１９の長さを調整し、目違い修正治具７を緊張固定する。図５に示される実施形態では、目違い修正用ジャッキ１５が、第２エレクションピース４の左側面に当接し右方向に押して接続部の目違いを修正する。
【００２１】
本発明の柱の目違い修正治具７を用いた目違い修正作業の手順を説明する。
（１）第１エレクションピースを固定した既設柱の上端に、第２のエレクションピースを固定した建入柱の下端を、第１エレクションピースの突出部をガイドとして接続位置合わせして当接する。
（２）既設柱の第１エレクションピースの側面に目違い修正治具のＬ字形フレームの脚部を当接させ、保持部材を溶接用切欠部の下縁に係合させ、治具本体を所定位置に保持する。
（３）固定具の固定部材を第１エレクションピースの溶接用切欠部に挿入し回動して抜け止め状態とし、雄ねじ部材の長さを調節し、目違い修正治具を第１エレクションピースに緊張固定する。
（４）Ｌ字形フレームに着脱自在に取り付けられた目違い修正用ジャッキにより、第２エレクションピースを押し目違いを修正する。
（５）雄ねじ部材を緩めて固定を解除し、残った目違い方向を修正する位置に目違い修正治具を設置固定する。
（６）接続部の目違い修正後、目違い修正治具を取り外し、第１エレクションピースと第２エレクションピースとをスプライスプレートを介して固定する。
（７）既設柱と建入柱の接続部を、溶接用切欠部を通して溶接接合する。
（８）溶接接合完了後、スプライスプレート及び第１，第２エレクションピースを取り外す。
【図面の簡単な説明】
【００２２】
【図１】本発明の実施形態を示す図である。
【図２】本発明の実施形態を示す図である。
【図３】本発明の実施形態を示す図である。
【図４】本発明の実施形態を示す図である。
【図５】本発明の実施形態を示す図である。
【符号の説明】
【００２３】
１：既設柱
２：建入柱
３：第１エレクションピース
４：第２エレクションピース
５：溶接用切欠部
６：ボルト穴（エレクションピース）
６’：ボルト穴（スプライスプレート）
７：目違い修正治具
８：治具本体
９：Ｌ字形フレーム
１０：水平部
１１：垂直部
１２：脚部
１３：補強材
１４：水平底板
１５：目違い修正用ジャッキ
１６：貫通雌ねじ穴
１７：補強材
１８：固定具
１９：雄ねじ部材
２０：チェーン状のリンク部材
２１：固定部材
２２：スプライスプレート
２３：保持部材
【図１】
2006152540.tif 000003
【図２】
2006152540.tif 000004
【図３】
2006152540.tif 000005
【図４】
2006152540.tif 000006
【図５】
2006152540.tif 000007